(57)【要約】      （修正有）【課題】キャノピーを両側に展開でき、迅速に閉じられ、操作の利便性及びペットの安全性が向上するペット用ベビーカーを提供する。【解決手段】ペット用ベビーカーは、フレーム１１００と、布体１２００、キャノピーと、を備え、フレームは、バスケット１１１０を含み、布体は、バスケットに分離可能に固定され、バスケットに固定される場合収容スペースＳを形成し、キャノピーは、バスケットに分離可能に固定され且つ互いに対して回動するように両端がそれぞれ枢着される２つのリブ１３１０と、互いに分離可能に組合せられるようにそれぞれ２つのリブに接続され、組合せられる場合２つのリブが互いに近接して且つ互いに対して回動できない２つの締付素子１３２０と、それぞれ２つのリブに接続される２つのメッシュ生地１３３０と、それぞれ２つのメッシュ生地に接続され２つのメッシュ生地をバスケットに分離可能にロックする２つの固定シート１３４０と、を含む。【選択図】図３
0003231714.tif 000002
【実用新案登録請求の範囲】
【請求項１】
バスケットを含むフレームと、
前記バスケットに分離可能に固定され、前記バスケットに固定される場合、収容スペースを形成する布体と、
前記バスケットに分離可能に固定され、互いに対して回動するように両端がそれぞれ枢着される２つのリブと、互いに分離可能に組み合わせられるように、それぞれ前記２つのリブに接続される２つの締付素子と、それぞれ前記２つのリブに接続される２つのメッシュ生地と、それぞれ前記２つのメッシュ生地に接続され、前記２つのメッシュ生地との接続部に、それぞれ前記バスケットに分離可能にロックされる２つの凸部が形成される２つの固定シートと、を含むキャノピーと、
を備え、
前記２つの締付素子が互いに組み合わせられる場合、前記２つのリブは、互いに近接して且つ互いに対して回動できないペット用ベビーカー。
【請求項２】
前記フレームは、
前記バスケットに接続されるハンドルと、
前記バスケットに枢着される後輪フレームと、
前記後輪フレームに枢着される前輪フレームと、
を更に含む請求項１に記載のペット用ベビーカー。
【請求項３】
前記ハンドルはロック部材を含み、前記前輪フレームは前記ロック部材に分離可能に係合され、前記前輪フレームが前記ロック部材に係合される場合、前記バスケットは前記後輪フレームに対して回動できなくなり、且つ前記後輪フレームは前記前輪フレームに対して回動できない請求項２に記載のペット用ベビーカー。
【請求項４】
前記ハンドルに回動可能なフックハンドルが設けられ、前記前輪フレームにバンプが設けられ、前記フックハンドルは前記バンプに分離可能に引っ掛けられる請求項２に記載のペット用ベビーカー。
【請求項５】
両端がそれぞれ前記前輪フレーム及び前記後輪フレームに分離可能に接続される収納袋を更に備える請求項２に記載のペット用ベビーカー。
【請求項６】
前記バスケットに２つの第１の結合部が設けられ、前記２つのリブの枢着部にそれぞれ２つの第２の結合部が設けられ、前記２つの第１の結合部はそれぞれ前記２つの第２の結合部に分離可能に結合される請求項１に記載のペット用ベビーカー。
【請求項７】
前記２つの固定シートにそれぞれ２つの第３の結合部が設けられ、前記布体に２つの第４の結合部が設けられ、前記２つの第３の結合部はそれぞれ前記２つの第４の結合部に分離可能に結合される請求項１に記載のペット用ベビーカー。
【請求項８】
カップホルダーを更に備え、
前記フレームにフックが設けられ、前記カップホルダーは前記フックに分離可能に係合される請求項１に記載のペット用ベビーカー。
【請求項９】
前記布体の内側に安全バックルが設けられる請求項１に記載のペット用ベビーカー。
【請求項１０】
前記布体は、前記布体の一側に位置する通気性ネットと、前記通気性ネットの外側に分離可能に被覆されるマスキング布と、を含む請求項１に記載のペット用ベビーカー。
【請求項１１】
前記布体の内側の底部に位置するクリーニングパッドを更に備える請求項１に記載のペット用ベビーカー。
【請求項１２】
前記キャノピーの前記２つの凸部の位置にそれぞれ２つの弾性バンドが設けられ、前記布体に２つの留め具が設けられ、前記２つの弾性バンドはそれぞれ前記２つの留め具に分離可能に結合される請求項１に記載のペット用ベビーカー。
【考案の詳細な説明】
【技術分野】
【０００１】
本考案は、ペット搭乗装置に関し、特に、様々な形態でキャノピーを開けることのできるペット用ベビーカーに関する。
【背景技術】
【０００２】
飼い主が外出時にペットを連れやすくするために、ペット用のために設計されたペット用ベビーカーが数多く市販されており、飼い主は、これらのペット用ベビーカーによってペットを運ぶことができる。一般的に、従来のペット用ベビーカーは、バスケット及びキャノピーを有し、バスケットとキャノピーがペットを収容するための空間を囲むことができ、ペットがバスケットとキャノピーにより形成された空間に留まると、外界から隔離されるようになるため、上記の構造によれば、ペットを環境条件によって簡単に怖がらないように相当良く保護することができ、飼い主がより安心してペットを連れて行くことができる。
【０００３】
しかしながら、従来のペット用ベビーカーは、キャノピーがベビーカーの前方からハンドルの方又は逆方向へしか開けられなく、且つ開けられた後で、キャノピーがバスケットの同じ側に積み重ねられるので、バスケットの開口を遮蔽し、キャノピーの開き方位及び遮蔽されるバスケットの開口により、ペットがペット用ベビーカーに出入りする時に不便になる。なお、飼い主がキャノピーが閉じられる場合、キャノピーをバスケットの一側から他側に引っ張らなければならず、キャノピーを閉じる過程に時間がかかり、ペットがペット用ベビーカーから飛び出す可能性があり、飼い主を困らせ、ペットが危険になる可能性もある。
【考案の概要】
【考案が解決しようとする課題】
【０００４】
上記に鑑みて、如何にキャノピーが開けられた後でバスケットの開口を遮蔽しないようにするか、及び如何にキャノピーを閉じる速度を向上させるかは、相変わらず解決しようとする課題である。
【０００５】
上記の課題を解決するために、本考案は、キャノピーの構造によってキャノピーを迅速に閉じることができ、且つキャノピーが開けられる時に同じ側に積み重ねられることのないペット用ベビーカーを提供することを目的とする。
【課題を解決するための手段】
【０００６】
本考案の一実施形態は、バスケットを含むフレームと、バスケットに分離可能に固定され、バスケットに固定される場合、収容スペースを形成する布体と、バスケットに分離可能に固定され、互いに対して回動するように両端がそれぞれ枢着される２つのリブと、互いに分離可能に組み合わせられるように、それぞれ２つのリブに接続される２つの締付素子と、それぞれ２つのリブに接続される２つのメッシュ生地と、それぞれ２つのメッシュ生地に接続され、２つのメッシュ生地との接続部に、それぞれバスケットに分離可能にロックされる２つの凸部が形成される２つの固定シートと、を含むキャノピーと、を備え、２つの締付素子が互いに組み合わせられる場合、２つのリブは、互いに近接して且つ互いに対して回動できないペット用ベビーカーを提供する。
【０００７】
これにより、本考案によるペット用ベビーカーのキャノピーは２つのリブを有し、キャノピーを開く時、２つのリブが収容スペースの上方から収容スペースの両側へ回動できるため、キャノピーを同時に両側に展開でき、キャノピーが全部同じ側に積み重ねられて収容スペースの開口が遮蔽されるのを防ぎ、キャノピーを閉じる時、キャノピーを閉じる時間を短縮させるように２つのリブを同時に回動させて、飼い主の操作上の利便性とペットの安全性を向上させることができる。
【０００８】
前記のペット用ベビーカーによれば、フレームは、バスケットに接続されるハンドルと、バスケットに枢着される後輪フレームと、後輪フレームに枢着される前輪フレームと、を更に含んでよい。
【０００９】
前記のペット用ベビーカーによれば、ハンドルはロック部材を含んでよく、前輪フレームはロック部材に分離可能に係合され、前輪フレームがロック部材に係合される場合、バスケットは後輪フレームに対して回動できなくなり、且つ後輪フレームは前輪フレームに対して回動できない。
【００１０】
前記のペット用ベビーカーによれば、ハンドルに回動可能なフックハンドルが設けられてよく、前輪フレームにバンプが設けられてよく、フックハンドルはバンプに分離可能に引っ掛けられる。
【００１１】
前記のペット用ベビーカーは、両端がそれぞれ前輪フレーム及び後輪フレームに分離可能に接続される収納袋を更に備えてよい。
【００１２】
前記のペット用ベビーカーによれば、バスケットに２つの第１の結合部が設けられてよく、２つのリブの枢着部にそれぞれ２つの第２の結合部が設けられてよく、２つの第１の結合部はそれぞれ２つの第２の結合部に分離可能に結合される。
【００１３】
前記のペット用ベビーカーによれば、２つの固定シートにそれぞれ２つの第３の結合部が設けられてよく、布体に２つの第４の結合部が設けられてよく、２つの第３の結合部はそれぞれ２つの第４の結合部に分離可能に結合される。
【００１４】
前記のペット用ベビーカーは、カップホルダーを更に備えてよく、フレームにフックが設けられてよく、カップホルダーはフックに分離可能に係合される。
【００１５】
前記のペット用ベビーカーによれば、布体の内側に安全バックルが設けられてよい。
【００１６】
前記のペット用ベビーカーによれば、布体は、布体の一側に位置してよい通気性ネットと、通気性ネットの外側に分離可能に被覆されるマスキング布と、を含んでよい。
【００１７】
前記のペット用ベビーカーは、布体の内側の底部に位置するクリーニングパッドを更に備えてよい。
【００１８】
前記のペット用ベビーカーによれば、キャノピーの２つの凸部の位置にそれぞれ２つの弾性バンドが設けられてよく、布体に２つの留め具が設けられてよく、２つの弾性バンドはそれぞれ２つの留め具に分離可能に結合される。
【図面の簡単な説明】
【００１９】
【図１】本考案の一実施形態によるペット用ベビーカーを示す斜視模式図である。
【図２】ペット用ベビーカーの斜視分解模式図である。
【図３】ペット用ベビーカーのキャノピーの部分斜視分解図である。
【図４】キャノピーの凸部のバスケットへのロックを示す断面模式図である。
【図５Ａ】ペット用ベビーカーのキャノピーが閉じられる場合の右面模式図である。
【図５Ｂ】ペット用ベビーカーのキャノピーが２つのリブから開かられる場合の右面模式図である。
【図５Ｃ】ペット用ベビーカーのキャノピーが２つの固定シートから開かられる場合の右面模式図である。
【図６Ａ】ペット用ベビーカーのフレームが完全に展開される場合の右面模式図である。
【図６Ｂ】ペット用ベビーカーのフレームが部分的に折り畳まれる場合の右面模式図である。
【図６Ｃ】ペット用ベビーカーのフレームが完全に折り畳まれる場合の右面模式図である。
【考案を実施するための形態】
【００２０】
以下、本考案の実施形態をより詳しく説明するが、この実施形態は様々な特定の範囲内に具体化されることができる。特定の実施形態は、単に説明するためのものであり、且つ開示の範囲に限定されない。
【００２１】
また、本文では、ある素子が別の素子に「固定」、「接続」、「結合」又は「ロック」される場合、前記素子が別の素子に直接固定、直接接続、直接結合又は直接ロックされることを指してもよいし、前記素子が別の素子に間接固定、間接接続、間接結合又は間接ロックされ、即ち、前記素子と別の素子との間に他の素子が介在することを指してもよい。ある素子が別の素子に「直接固定」、「直接接続」、「直接結合」又は「直接ロック」されると明示する場合、前記素子と別の素子との間に他の素子が介在しないことを示す。
【００２２】
図１及び図２を参照されたく、図１は本考案の一実施形態によるペット用ベビーカー１０００を示す斜視模式図であり、図２はペット用ベビーカー１０００を示す斜視分解模式図である。ペット用ベビーカー１０００は、フレーム１１００と、布体１２００と、キャノピー１３００と、を備え、布体１２００及びキャノピー１３００の何れもフレーム１１００に分離可能に固定される。
【００２３】
フレーム１１００は、バスケット１１１０を含み、布体１２００及びキャノピー１３００の何れもバスケット１１１０に分離可能に固定される。フレーム１１００は、ハンドル１１２０、後輪フレーム１１３０及び前輪フレーム１１４０を更に含んでよく、ハンドル１１２０がバスケット１１１０に接続され、後輪フレーム１１３０がバスケット１１１０に枢着され、且つ前輪フレーム１１４０が後輪フレーム１１３０に枢着され、バスケット１１１０、後輪フレーム１１３０及び前輪フレーム１１４０が互いに対して回動できるため、ペット用ベビーカー１０００の体積を小さくし、ペット用ベビーカー１０００を容易に収納し又は持ち運ぶように、更に、フレーム１１００を折り畳むことができる。フレーム１１００の展開後の角度を固定するために、ハンドル１１２０は、ロック部材１１２１を含んでよく、前輪フレーム１１４０がロック部材１１２１に分離可能に係合される。前輪フレーム１１４０がロック部材１１２１に係合される場合、ハンドル１１２０及び前輪フレーム１１４０が互いに制約するので、バスケット１１１０が後輪フレーム１１３０に対して回動できなくなり、且つ後輪フレーム１１３０が前輪フレーム１１４０に対して回動できなくなるため、ペット用ベビーカー１０００を使用する時にフレーム１１００を誤って折り畳むのを防ぎ、ペット用ベビーカー１０００内に搭乗されるペットの安全を保障することができる。
【００２４】
また、フレーム１１００のハンドル１１２０に回動可能なフックハンドル１１２２が設けられてよいが、前輪フレーム１１４０にバンプ１１４１が設けられてよく、フックハンドル１１２２がバンプ１１４１に分離可能に引っ掛けられる。ペット用ベビーカー１０００を収納する場合、ハンドル１１２０及び前輪フレーム１１４０が折り畳まれたフレーム１１００の両側に位置し、この時、フックハンドル１１２２によってバンプ１１４１を引っ掛けることで、フレーム１１００の構造を固定する目的を達成し、フレーム１１００の再度展開を避け、ペット用ベビーカー１０００を容易に搬送することができる。ペット用ベビーカー１０００の詳しい折り畳み形態については、後の段落で併せて説明するため、ここで繰り返して説明しない。
【００２５】
布体１２００は、バスケット１１１０に分離可能に固定され、バスケット１１１０に固定される場合、ペットを乗車させることのできる収容スペースＳを形成するが、バスケット１１１０から取り外されると、収納するように折り畳まれることができる。例えば、布体１２００の上縁に面ファスナー又はスナップ等のファスナーが設けられてよく、布体１２００の上縁でバスケット１１１０を包んだ後でファスナーにより固定して、布体１２００をバスケット１１１０に容易に装着することができ、布体１２００の取り外しにも便利であるが、本考案はこれに制限されない。
【００２６】
図３を併せて参照されたく、図３はペット用ベビーカー１０００のキャノピー１３００の一部を示す斜視分解図である。キャノピー１３００は、バスケット１１１０に分離可能に固定される２つのリブ１３１０を含み、バスケット１１１０に固定される場合、収容スペースＳの開口を被覆し、収容スペースＳの中に位置するペットを保護することができるが、布体１２００の内部を掃除し又は収納するように、バスケット１１１０から取り外されて分離することもできる。２つのリブ１３１０は、両端がそれぞれ枢着されるため、互いに対して回動することができ、且つ２つのリブ１３１０の間の夾角を変えることで、キャノピー１３００の開閉度合を制御することができる。キャノピー１３００は、２つのリブ１３１０の夾角が平角に近くなる場合、ほぼ完全に開かれ、キャノピー１３００を取り外さずにペットを出し入れすることができるが、２つのリブ１３１０の夾角が０°に近くなる場合、ほぼ完全に閉じられ、ペットを保護し且つペットが飛び出さないようにすることができる。
【００２７】
２つのリブ１３１０がバスケット１１１０に分離可能に固定されるため、バスケット１１１０に２つの第１の結合部１１１１が設けられてよく、２つのリブ１３１０の枢着部にそれぞれ２つの第２の結合部１３１１が設けられてよく、２つの第１の結合部１１１１がそれぞれ２つの第２の結合部１３１１に分離可能に結合され、２つのリブ１３１０の枢着部によってバスケット１１１０に固定される構造となり、これにより、キャノピー１３００をバスケット１１１０に固定することができる以外、２つのリブ１３１０の枢着部を良く支持して、２つのリブ１３１０の回動時の安定さを向上させることができる。
【００２８】
キャノピー１３００は、互いに分離可能に組み合わせられるように、それぞれ２つのリブ１３１０に接続される２つの締付素子１３２０を含む。２つの締付素子１３２０が互いに組み合わせられる場合、２つのリブ１３１０は、２つの締付素子１３２０により固定されて、互いに近接して且つ互いに対して回動できなくなり、この時、キャノピー１３００は閉じられる。本実施例において、２つの締付素子１３２０は、同じ構造（ジッパーの２列のエレメント）を例とするが、他の実施例において、例えば、面ファスナーのフックベルトとループベルトのような対応する結合構造を有してもよいが、本考案はこれに限定されない。
【００２９】
キャノピー１３００は、２つのメッシュ生地１３３０及び２つの固定シート１３４０を更に含み、２つのメッシュ生地１３３０がそれぞれ２つのリブ１３１０に接続され、２つの固定シート１３４０がそれぞれ２つのメッシュ生地１３３０に接続され、このように、キャノピー１３００が閉じられる場合、２つのメッシュ生地１３３０は、キャノピー１３００の内外の空気を流通させ、ペット用ベビーカー１０００の通気性を向上させ、ペットをペット用ベビーカー１０００の収容スペースＳの中に安全且つ快適に留ませることができる。
【００３０】
図４を併せて参照されたく、図４はキャノピー１３００の凸部１３４１のバスケット１１１０へのロックを示す断面模式図である。２つの固定シート１３４０と２つのメッシュ生地１３３０との接続部に、キャノピー１３００の２つの固定シート１３４０をバスケット１１１０の外側に位置決めするようにバスケット１１１０に分離可能にロックされる２つの凸部１３４１がそれぞれ形成されるため、キャノピー１３００によって布体１２００の上縁を完全に被覆することができ、且つキャノピー１３００の底部がバスケット１１１０により広げられ、これにより、キャノピー１３００の形状が膨隆状に維持され、更にキャノピー１３００により形成された空間のサイズを保持することができる。
【００３１】
続けて図１、図２及び図３を参照されたい。２つの固定シート１３４０にそれぞれ２つの第３の結合部１３４２が設けられてよく、布体１２００に２つの第４の結合部１２１０が設けられてよく、２つの第３の結合部１３４２がそれぞれ２つの第４の結合部１２１０に分離可能に結合され、２つの固定シート１３４０を布体１２００に固定することで、キャノピー１３００の底部が容易に開かれないようにすることができる。２つの第３の結合部１３４２及び２つの第４の結合部１２１０は、例えば、面ファスナー又はスナップ等の構造のような、便利に結合及び分離する任意の構造であってもよいが、本考案はこれに限定されない。
【００３２】
また、キャノピー１３００の２つの凸部１３４１の位置にそれぞれ２つの弾性バンド１３５０が設けられてよいが、布体１２００に２つの留め具１２５０が設けられてよく、２つの弾性バンド１３５０がそれぞれ２つの留め具１２５０に分離可能に結合される。前記２つの凸部１３４１でバスケット１１１０にロックされる構造、及び２つの第３の結合部１３４２で２つの第４の結合部１２１０に結合される構造等に加えて、また、２つの弾性バンド１３５０によって２つの留め具１２５０に結合されることで、キャノピー１３００と布体１２００との結合の緊密性を更に向上させることができ、ペットがペット用ベビーカー１０００で動き回って、キャノピー１３００を誤って開くという突発的な状況を回避し、ペットがペット用ベビーカー１０００に乗りる時の安全性を大幅に向上させることもできる。
【００３３】
図５Ａ及び図５Ｂを参照されたく、図５Ａはペット用ベビーカー１０００のキャノピー１３００が閉じられる場合の右面模式図であり、図５Ｂはペット用ベビーカー１０００のキャノピー１３００が２つのリブ１３１０から開かれる場合の右面模式図である。図５Ａに示すように、飼い主は、ペットをペット用ベビーカー１０００に入れた後で、キャノピー１３００の２つのリブ１３１０を近接させ、次に、２つの締付素子１３２０を互いに組み合わせるように操作して、２つのリブ１３１０の位置を固定することができ、この時、キャノピー１３００が隆起状となり、且つペットの動きのために布体１２００の上方に適切な空間を囲む。飼い主は、ペットを抱きしめたい場合、２つの締付素子１３２０を分離して、２つのリブ１３１０を回動させて離せばよく、キャノピー１３００が図５Ｂに示すように開かれ、キャノピー１３００の開口が収容スペースＳの上方にあり、且つキャノピー１３００の２つのリブ１３１０がほぼ１８０°に展開することができ、飼い主がペットを降しやすく、キャノピー１３００の構造によって阻止されることはない。
【００３４】
上記のようにキャノピー１３００を閉じる場合、飼い主は、２つのリブ１３１０を両手で同時に回動することができるため、キャノピー１３００を迅速に閉じることができ、且つキャノピー１３００が閉じられる場合、まず布体１２００の上縁を包んで、ペットを布体１２００内に阻止するので、キャノピー１３００を閉じる過程においてペットが飛び出す可能性を大幅に減らす。
【００３５】
一方、図５Ｃを参照されたく、図５Ｃはペット用ベビーカー１０００のキャノピー１３００が２つの固定シート１３４０から開かれる場合の右面模式図である。頂端からキャノピー１３００を開く以外、２つの固定シート１３４０からキャノピー１３００を開けてもよい。図５Ｃにはハンドル１１２０から離れる一方の固定シート１３４０からキャノピー１３００を開く様子を示したが、当業者であれば、ハンドル１１２０に近い他方の固定シート１３４０からキャノピー１３００を逆方向に開けてもよいことは理解すべきであるため、ここで繰り返して説明しない。この時、収容スペースＳの開口の一側がキャノピー１３００によって被覆されずに完全に開放することができ、ペットが開いた一側から頭を伸ばすことができ、ペットが布体１２００及びキャノピー１３００により包まれた圧迫感を下げる。
【００３６】
本考案によるペット用ベビーカー１０００は、折り畳め可能であり、ペット用ベビーカー１０００の体積を減少するように、収納時に車体を折り畳むことができる。ペット用ベビーカー１０００は、回動可能なフレーム１１００の構造によって車体を折り畳む目的を達成し、以下、収納形態の詳細を説明する。
【００３７】
図６Ａを参照されたく、図６Ａはペット用ベビーカー１０００のフレーム１１００が完全に展開される場合の右面模式図である。ペット用ベビーカー１０００を使用する場合、前輪フレーム１１４０がハンドル１１２０のロック部材１１２１に係合され、バスケット１１１０及び後輪フレーム１１３０の予期しない回動を回避し、これにより、フレーム１１００の構造を固定する。
【００３８】
次に、ペット用ベビーカー１０００のフレーム１１００が部分的に折り畳まれる場合の右面模式図である図６Ｂを参照されたい。ペット用ベビーカー１０００を収納しようとする場合、まずロック部材１１２１を前輪フレーム１１４０から分離する必要があり、ロック部材１１２１と前輪フレーム１１４０との係合規制なしに、ハンドル１１２０を容易に押し下げることができ、バスケット１１１０を後輪フレーム１１３０に対して回動するように連動させ、且つ後輪フレーム１１３０を前輪フレーム１１４０に対して回動するように連動させて、ハンドル１１２０及び後輪フレーム１１３０の何れも前輪フレーム１１４０に近接させる。
【００３９】
最後、図６Ｃを参照されたく、図６Ｃはペット用ベビーカー１０００のフレーム１１００が完全に折り畳まれる場合の右面模式図である。フレーム１１００が完全に折り畳まれ、即ちハンドル１１２０及び後輪フレーム１１３０の何れも前輪フレーム１１４０に近接した後で、ハンドル１１２０におけるフックハンドル１１２２を前輪フレーム１１４０のバンプ１１４１に引っ掛けるように回転することで、フレーム１１００の折り畳まれた構造を固定して、フレーム１１００の展開を防止することができる。
【００４０】
上記の部材や構造に加えて、本考案によるペット用ベビーカー１０００は、飼い主又はペットの必要に応じてより多くの構成要素を設けてもよいが、以下、例として、特に複数の実用的な構成要素を挙げる。
【００４１】
また図１及び図２を参照されたい。本考案によるペット用ベビーカー１０００は、カップホルダー１４００を更に備えてよく、フレーム１１００にフック１１５０が設けられてよく、カップホルダー１４００はフック１１５０に分離可能に係合され、ケトルやドリンクカップ等を置くことができ、ペット用ベビーカー１０００の使用時の利便性を高める。カップホルダー１４００がフレーム１１００から突出するため、ペット用ベビーカー１０００を収納する場合、カップホルダー１４００を取り外すことができ、折り畳んだペット用ベビーカー１０００の体積を減少し、収納に便利である。
【００４２】
本考案によるペット用ベビーカー１０００は、収納袋１５００を備えてよく、収納袋１５００は、両端がそれぞれフレーム１１００の前輪フレーム１１４０及び後輪フレーム１１３０に分離可能に接続されるので、布体１２００の下方に位置して、布体１２００下方の空間を十分に利用して物品を収容することができ、且つ掃除及び収納するように取り外し可能となる。
【００４３】
本考案によるペット用ベビーカー１０００は、クリーニングパッド１６００を備えてよく、クリーニングパッド１６００は、布体１２００の内側の底部に位置し、その上方にペットが搭乗され、ペットのうっかりして排出された尿を吸収することができ、尿が布体１２００を汚染するのを回避し、飼い主の掃除時のトラブルを低減し、且つペットが搭乗する場合の快適さを向上させるように、優れた支持性の材質又は構造から構成されてよい。
【００４４】
その以外、布体１２００の内側に安全バックル１２２０が設けられてよく、飼い主は、ペットをペット用ベビーカー１０００に入れた後、キャノピー１３００が閉じられていないうちにペットが布体１２００から飛び出すことを防ぐように、直ちに安全バックル１２２０でペットの首輪を締めてよい。布体１２００は通気性ネット１２３０及びマスキング布１２４０を含んでもよく、通気性ネット１２３０が布体１２００の一側に位置し、マスキング布１２４０が通気性ネット１２３０の外側に分離可能に被覆され、通気性ネット１２３０を設けることで、布体１２００の内外の空気の流通を促進することができ、且つペットが通気性ネット１２３０からペット用ベビーカー１０００外の状況を見ることもでき、ペットが密閉空間内にある圧力を下げ、マスキング布１２４０はペット用ベビーカー１０００内のペットを保護するように、通気性ネット１２３０を適時に遮蔽することができる。
【００４５】
以上をまとめると、本考案によるペット用ベビーカーのキャノピーは２つのリブを有し、キャノピーを開く時、２つのリブが収容スペースの上方から収容スペースの両側へ回動できるため、キャノピーを同時に両側に展開でき、キャノピーが全部同じ側に積み重ねられて収容スペースの開口が遮蔽されるのを防ぎ、キャノピーを閉じる時、キャノピーを閉じる時間を短縮させるように２つのリブを同時に回動させて、飼い主の操作上の利便性とペットの安全性を向上させることができる。
【００４６】
本考案では、実施例を前述の通りに開示したが、これは本考案を限定するものではなく、当業者なら誰でも、本考案の精神及び範囲から逸脱しない限り、多様の変更や修正を加えることができる。従って、本考案の保護範囲は、後の実用新案登録請求の範囲で指定した内容を基準とする。
【符号の説明】
【００４７】
１０００：ペット用ベビーカー
１１００：フレーム
１１１０：バスケット
１１１１：第１の結合部
１１２０：ハンドル
１１２１：ロック部材
１１２２：フックハンドル
１１３０：後輪フレーム
１１４０：前輪フレーム
１１４１：バンプ
１１５０：フック
１２００：布体
１２１０：第４の結合部
１２２０：安全バックル
１２３０：通気性ネット
１２４０：マスキング布
１２５０：留め具
１３００：キャノピー
１３１０：リブ
１３１１：第２の結合部
１３２０：締付素子
１３３０：メッシュ生地
１３４０：固定シート
１３４１：凸部
１３４２：第３の結合部
１３５０：弾性バンド
１４００：カップホルダー
１５００：収納袋
１６００：クリーニングパッド
Ｓ：収容スペース
【図１】
0003231714.tif 000003
【図２】
0003231714.tif 000004
【図３】
0003231714.tif 000005
【図４】
0003231714.tif 000006
【図５Ａ】
0003231714.tif 000007
【図５Ｂ】
0003231714.tif 000008
【図５Ｃ】
0003231714.tif 000009
【図６Ａ】
0003231714.tif 000010
【図６Ｂ】
0003231714.tif 000011
【図６Ｃ】
0003231714.tif 000012